(57)【要約】【課題】複数のヒータを有し予め定められた動作シーケンスで各ヒータを通電制御するジャー炊飯器において、複数のヒータ駆動手段を有していても端子雑音電圧を低く抑える。【解決手段】炊飯物を入れる鍋１の上部を蓋４により開閉自在に覆い、鍋１を加熱する胴ヒータ３への通電を第１のヒータ駆動手段７により行うとともに、蓋４を加熱する蓋ヒータ５への通電を第２のヒータ駆動手段８により行い、鍋温度検知手段９と蓋温度検知手段１０との入力に応じて、制御手段１１より第１のヒータ駆動手段７と第２のヒータ駆動手段８へ駆動信号を出力し、第１の選択手段１４により第１のヒータ駆動手段７と第２のヒータ駆動手段８の駆動を選択する。第１の選択手段１４は、第１のヒータ駆動手段７と第２のヒータ駆動手段８とを同時に駆動しなければならない期間において、第１のヒータ駆動手段７と第２のヒータ駆動手段８とを所定の時間毎に交互に駆動するよう構成する。【選択図】図１
2007325622.tif 000002
【特許請求の範囲】
【請求項１】
炊飯物を入れる鍋と、前記鍋の上部を開閉自在に覆う蓋と、前記鍋を加熱する胴ヒータへの通電を行う第１のヒータ駆動手段と、前記蓋を加熱する蓋ヒータへの通電を行う第２のヒータ駆動手段と、前記鍋の温度を検知する鍋温度検知手段と、前記蓋の温度を検知する蓋温度検知手段と、前記鍋温度検知手段と前記蓋温度検知手段との入力に応じて前記第１のヒータ駆動手段と前記第２のヒータ駆動手段のそれぞれへ駆動信号を出力する制御手段と、前記第１のヒータ駆動手段と前記第２のヒータ駆動手段の駆動を選択する選択手段とを備え、前記選択手段は、前記第１のヒータ駆動手段と前記第２のヒータ駆動手段とを同時に駆動しなければならない期間において、前記第１のヒータ駆動手段と前記第２のヒータ駆動手段とを所定の時間毎に交互に駆動するよう構成したジャー炊飯器。
【請求項２】
選択手段は、第１のヒータ駆動手段と第２のヒータ駆動手段とを同時に駆動しなければならない期間において、第１のヒータ駆動手段と第２のヒータ駆動手段とを、所定の時間毎に代えて、所定の時間比率で交互に駆動するようにした請求項１記載のジャー炊飯器。
【請求項３】
選択手段は、第１のヒータ駆動手段と第２のヒータ駆動手段とを交互に駆動する所定の時間比率を変動可能とした請求項２記載のジャー炊飯器。
【発明の詳細な説明】
【技術分野】
【０００１】
本発明は、複数のヒータを有し予め定められた動作シーケンスで各ヒータを通電制御するジャー炊飯器に関するものである。
【背景技術】
【０００２】
従来、この種のジャー炊飯器では、よりおいしいご飯を炊きたい、あるいは炊飯後のご飯をよりよく保温したいといった要望から、炊飯物を入れる鍋や鍋を閉塞する蓋に複数のヒータと複数の温度検知手段を備え、炊飯および保温の各状態において、各温度検知手段からの入力に基づき予め定められた動作シーケンスで制御手段が各ヒータを通電制御することで、炊飯物の炊飯あるいは保温をしている（例えば、特許文献１参照）。
【０００３】
このような従来のジャー炊飯器は、図８に示すように構成していた。以下、その構成について説明する。
【０００４】
図８に示すように、鍋１は炊飯物を入れるもので、この鍋１の上部を蓋４により開閉するようにしている。底ヒータ２は鍋１の底部分を加熱するもので、第３のヒータ駆動手段６により底ヒータ２への通電を行うようにしている。第１のヒータ駆動手段７は双方向性３端子サイリスタ（以下、サイリスタという）７ａにより構成し、鍋１の側面を加熱する胴ヒータ３への通電を行うようにしている。第２のヒータ駆動手段８はサイリスタ８ａにより構成し、蓋４を加熱する蓋ヒータ５への通電を行うようにしている。鍋温度検知手段９は鍋１の温度を検知するもので、蓋温度検知手段１０は蓋４の温度を検知するものであり、これら鍋温度検知手段９と蓋温度検知手段１０の信号を制御手段１１に入力し、制御手段１１より第１のヒータ駆動手段７と第２のヒータ駆動手段８へ信号を出力するようにしている。
【０００５】
上記構成において、例えば、炊飯工程から保温工程に入った直後から、鍋１の温度が所定の保温温度以下になるまでの期間、蓋４の温度が一定になるように胴ヒータ３と蓋ヒータ５とにそれぞれ一定の通電率で通電もしくは通電停止を行い、鍋１の温度が所定の保温温度以下になった後は、鍋温度検知手段９と蓋温度検知手段１０の検知温度に応じて底ヒータ２と胴ヒータ３と蓋ヒータ５それぞれを一定の通電率で通電もしくは通電停止を行うことで炊飯物を保温している。
【特許文献１】特許第２５０２７７７号公報
【発明の開示】
【発明が解決しようとする課題】
【０００６】
しかしながら、このような従来の構成では、鍋温度検知手段９と蓋温度検知手段１０の検知温度に応じて胴ヒータ３と蓋ヒータ５それぞれを一定の通電率で通電もしくは通電停止を行うので、サイリスタ７ａとサイリスタ８ａが同時に駆動されることがあり、駆動時に少なからずスイッチングノイズを発生させている。このため、個々のサイリスタが発生するノイズが例え微量であったとしても、複数のサイリスタ（ヒータ駆動手段）が同時駆動されることにより、機器が生じるスイッチングノイズは増大することになり、結果として、機器の雑音端子電圧が増えてしまうという問題を有していた。
【０００７】
本発明は上記従来の課題を解決するもので、複数のヒータ駆動手段を有していても、端子雑音電圧を低く抑えることを目的としている。
【課題を解決するための手段】
【０００８】
本発明は上記目的を達成するために、炊飯物を入れる鍋の上部を蓋により開閉自在に覆い、鍋を加熱する胴ヒータへの通電を第１のヒータ駆動手段により行うとともに、蓋を加熱する蓋ヒータへの通電を第２のヒータ駆動手段により行い、鍋の温度を検知する鍋温度検知手段と蓋の温度を検知する蓋温度検知手段との入力に応じて、制御手段より第１のヒータ駆動手段と第２のヒータ駆動手段のそれぞれへ駆動信号を出力し、選択手段により第１のヒータ駆動手段と第２のヒータ駆動手段の駆動を選択するよう構成し、選択手段は、第１のヒータ駆動手段と第２のヒータ駆動手段とを同時に駆動しなければならない期間において、第１のヒータ駆動手段と第２のヒータ駆動手段とを所定の時間毎に交互に駆動するよう構成したものである。
【０００９】
これにより、第１のヒータ駆動手段と第２のヒータ駆動手段が発生するスイッチングノイズが重畳して端子に現れることがなくなり、複数のヒータ駆動手段を有していても、端子雑音電圧を低く抑えることができる。
【発明の効果】
【００１０】
本発明のジャー炊飯器は、複数のヒータ駆動手段を有していても、各ヒータ駆動手段が発生するスイッチングノイズが重畳して端子に現れることがなくなり、端子雑音電圧を低く抑えることができる。
【発明を実施するための最良の形態】
【００１１】
第１の発明は、炊飯物を入れる鍋と、前記鍋の上部を開閉自在に覆う蓋と、前記鍋を加熱する胴ヒータへの通電を行う第１のヒータ駆動手段と、前記蓋を加熱する蓋ヒータへの通電を行う第２のヒータ駆動手段と、前記鍋の温度を検知する鍋温度検知手段と、前記蓋の温度を検知する蓋温度検知手段と、前記鍋温度検知手段と前記蓋温度検知手段との入力に応じて前記第１のヒータ駆動手段と前記第２のヒータ駆動手段のそれぞれへ駆動信号を出力する制御手段と、前記第１のヒータ駆動手段と前記第２のヒータ駆動手段の駆動を選択する選択手段とを備え、前記選択手段は、前記第１のヒータ駆動手段と前記第２のヒータ駆動手段とを同時に駆動しなければならない期間において、前記第１のヒータ駆動手段と前記第２のヒータ駆動手段とを所定の時間毎に交互に駆動するよう構成したものであり、複数のヒータ駆動手段を有していても、各ヒータ駆動手段が発生するスイッチングノイズが重畳して端子に現れることがなくなり、端子雑音電圧を低く抑えることができる。
【００１２】
第２の発明は、上記第１の発明において、選択手段は、第１のヒータ駆動手段と第２のヒータ駆動手段とを同時に駆動しなければならない期間において、第１のヒータ駆動手段と第２のヒータ駆動手段とを、所定の時間毎に代えて、所定の時間比率で交互に駆動するようにしたものであり、複数のヒータ駆動手段を有していても、各ヒータ駆動手段が発生するスイッチングノイズが重畳して端子に現れることがなくなり、端子雑音電圧を低く抑えることができ、さらに、ヒータ駆動に重み付けが可能となり、炊飯物をより良好に炊飯または保温することができる。
【００１３】
第３の発明は、上記第２の発明において、選択手段は、第１のヒータ駆動手段と第２のヒータ駆動手段とを交互に駆動する所定の時間比率を変動可能としたものであり、複数のヒータ駆動手段を有していても、各ヒータ駆動手段が発生するスイッチングノイズが重畳して端子に現れることがなくなり、端子雑音電圧を低く抑えることができ、さらに、各ヒータを状況に応じて駆動することができ、炊飯物をより良好に炊飯または保温することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１におけるジャー炊飯器の回路図を示すものである。
【００１６】
図１に示すように、鍋１は炊飯物を入れるもので、この鍋１の上部を蓋４により開閉するようにしている。底ヒータ２は鍋１の底部分を加熱するもので、第３のヒータ駆動手段６により底ヒータ２への通電を行うようにしている。第１のヒータ駆動手段７は鍋１の側面を加熱する胴ヒータ３への通電を行うようにしている。第２のヒータ駆動手段８は蓋４を加熱する蓋ヒータ５への通電を行うようにしている。鍋温度検知手段９は鍋１の温度を検知するもので、蓋温度検知手段１０は蓋４の温度を検知するものであり、これら鍋温度検知手段９と蓋温度検知手段１０の信号を制御手段１１に入力している。制御手段１１はマイクロコンピュータで構成し、鍋温度検知手段９と蓋温度検知手段１０との入力に応じて第１のヒータ駆動手段７と第２のヒータ駆動手段８のそれぞれへ駆動信号を出力するようにしている。
【００１７】
第１の選択手段（選択手段）１４は第１のヒータ駆動手段７と第２のヒータ駆動手段８とを同時に駆動しなければならない期間において、第１のヒータ駆動手段７と第２のヒータ駆動手段８とを所定の時間（例えば、１６秒）毎に交互に繰り返し駆動するようにしている。
【００１８】
第１のヒータ駆動手段７は、サイリスタ７ａと抵抗７ｂとトランジスタ７ｃと抵抗７ｄにより構成し、サイリスタ７ａのＴ１端子は交流電源１２に接続し、Ｔ２端子は胴ヒータ３の一方の端子に接続し、ゲート端子は抵抗７ｂに接続している。抵抗７ｂのもう一方はトランジスタ７ｃのコレクタに接続している。トランジスタ７ｃのエミッタはグランドに接続し、トランジスタ７ｃのベースは抵抗７ｄに接続しており、抵抗７ｄのもう一方は制御手段１１の出力に接続している。第２のヒータ駆動手段８はサイリスタ８ａと抵抗８ｂとトランジスタ８ｃと抵抗８ｄにより構成し、サイリスタ８ａのＴ１端子は交流電源１２に接続し、Ｔ２端子は胴ヒータ３の一方の端子に接続し、ゲート端子は抵抗８ｂに接続している。抵抗８ｂのもう一方はトランジスタ８ｃのコレクタに接続している。トランジスタ８ｃのエミッタはグランドに接続し、トランジスタ８ｃのベースは抵抗８ｄに接続しており、抵抗８ｄのもう一方は制御手段１１の出力に接続している。
【００１９】
鍋温度検知手段９はサーミスタ９ａと抵抗９ｂとＡ／Ｄ変換器９ｃと抵抗９ｄと抵抗９ｅにより構成している。Ａ／Ｄ変換器９ｃにはサーミスタ９ａと抵抗９ｂにより鍋温度に対応した電圧と、抵抗９ｄと９ｅによりＡ／Ｄ変換用基準電圧が入力される。制御手段１１にはＡ／Ｄ変換器９ｃの出力である鍋１の温度データが入力される。蓋温度検知手段１０はサーミスタ１０ａと抵抗１０ｂとＡ／Ｄ変換器１０ｃと抵抗１０ｄと抵抗１０ｅにより構成している。Ａ／Ｄ変換器１０ｃにはサーミスタ１０ａと抵抗１０ｂにより蓋温度に対応した電圧と、抵抗１０ｄと１０ｅによりＡ／Ｄ変換用基準電圧が入力される。制御手段１１にはＡ／Ｄ変換器１０ｃの出力である蓋４の温度データが入力される。
【００２０】
上記構成において動作を説明する。炊飯器は予め制御手段１１に記憶されたシーケンスにより炊飯や保温を行っており、このプロセスの中で鍋温度検知手段９や蓋温度検知手段１０からの入力により必要に応じて第１のヒータ駆動手段７や第２のヒータ駆動手段８が駆動される。
【００２１】
例えば、保温であれば、図２に示すフローチャートに基づき動作する。すなわち、保温開始時にはまず保温１工程に入り、ステップ２０１で制御手段１１が鍋１の温度θがθ１（例えば、７１．５℃）よりも高いかどうかをＡ／Ｄ変換器９ｃからの入力により判定する。ここで、鍋１の温度θがθ１よりも高い場合にはステップ２０２へ進み、鍋１の温度θがθ１よりも高くない場合には保温２工程、すなわちステップ２０６へ進む。
【００２２】
ステップ２０２で制御手段１１は蓋４の温度φがφ１（例えば、１１２℃）よりも高いかどうかをＡ／Ｄ変換器１０ｃからの入力により判定する。ここで、蓋４の温度φがφ１より高い場合にはステップ２０３へ進み、蓋４の温度φがφ１より高くない場合にはステップ２０４へ進む。ステップ２０３では胴ヒータ３と蓋ヒータ５への通電を停止することを決定する。一方、ステップ２０４では、蓋ヒータ５を１５／１６のデューティ、すなわち１６秒の内、はじめの１秒間は通電を停止した後、残りの１５秒間を通電することとする。また、胴ヒータ３は１６秒のはじめの５秒間通電した後、残りの１１秒間休むことを決定する。そして、ステップ２０６でヒータ駆動処理をして第１のヒータ駆動手段７と第２のヒータ駆動手段８への出力を行った後、再びステップ２０１へ戻る。
【００２３】
ステップ２０１で鍋１の温度θがθ１より高くなくてステップ２０６へ進んだ場合は、ステップ２０６において、制御手段１１が鍋１の温度θがθ１よりも高いかどうかをＡ／Ｄ変換器９ｃからの入力により判定する。ここで、鍋１の温度θがθ１よりも高い場合にはステップ２０７へ進み、鍋１の温度θがθ１よりも高くない場合にはステップ２０８へ進む。ステップ２０７では胴ヒータ３への通電を停止することを決定する。ステップ２０８では胴ヒータを１６秒のはじめの１５秒間通電した後、残りの１秒間休むことを決定する。つづくステップ２０９では、制御手段１１は蓋４の温度φがφ１よりも高いかどうかをＡ／Ｄ変換器１０ｃからの入力により判定する。ここで、蓋４の温度φがφ１より高い場合にはステップ２１０へ進み、蓋４の温度φがφ１より高くない場合にはステップ２１１へ進む。ステップ２１０では蓋ヒータ５への通電は停止することを決定する。ステップ２１１では蓋ヒータ５を５／１６のデューティ、すなわち１６秒の内、はじめの１１秒間は通電を停止した後、残りの５秒通電することを決定する。そして、ステップ２１２でヒータ駆動処理をして第１のヒータ駆動手段７と第２のヒータ駆動手段８への出力を行った後、再びステップ２０６へ戻る。このような保温工程では、胴ヒータ３と蓋ヒータ５は４秒間同時に駆動する場合があり得る。
【００２４】
つぎに、ヒータ駆動処理について図３を参照しながら説明する。ヒータ駆動処理では、まず、ステップ３０１とステップ３０２で胴ヒータ３と蓋ヒータ５の駆動デューティの開始タイミングに同期してカウントする１６秒カウンタのインクリメント処理を行う。すなわち、ステップ３０１で１６秒経過しているかどうか判断し、１６秒経過していればステップ３０２にて１６秒カウンタのインクリメントを行ってステップ３０３へ進み、１６秒経過していなければ１６秒カウンタのインクリメントは行わずステップ３０３へ進む。
【００２５】
つぎに、ステップ３０３で胴ヒータ３と蓋ヒータ５が同時駆動されるかどうかを確認する。すなわち、胴ヒータ３と蓋ヒータ５が同時駆動されないのであれば、ステップ３０７へ進むが、胴ヒータ３と蓋ヒータ５が同時駆動される場合にはステップ３０４へ進む。ステップ３０４で１６秒カウンタが偶数であればステップ３０５へ進み蓋ヒータ５をオフすることにし、１６秒カウンタが奇数であればステップ３０６へ進み胴ヒータ３をオフすることにしてステップ３０７へ進む。ステップ３０７では第１のヒータ駆動手段７と第２のヒータ駆動手段８のいずれか一方に駆動信号を出力し、胴ヒータ３または蓋ヒータ５を通電制御する。
【００２６】
このように、第１の選択手段１４は、第１のヒータ駆動手段７と第２のヒータ駆動手段８とを同時に駆動しなければならない期間において、第１のヒータ駆動手段７と第２のヒータ駆動手段８とを１６秒ごとに交互に駆動することができる。
【００２７】
以上のように、本実施の形態においては、第１の選択手段１４は、第１のヒータ駆動手段７と第２のヒータ駆動手段８とを同時に駆動しなければならない期間において、第１のヒータ駆動手段７と第２のヒータ駆動手段８とを所定の時間（１６秒）毎に交互に駆動するよう構成したので、複数のヒータ駆動手段を有していても、各ヒータ駆動手段が発生するスイッチングノイズが重畳して端子に現れることがなくなり、端子雑音電圧を低く抑えることができる。
【００２８】
なお、本実施の形態では、第１のヒータ駆動手段７は胴ヒータ３を通電制御する構成としているが、底ヒータ２と胴ヒータ３を通電制御する構成としてもよい。
【００２９】
（実施の形態２）
図４は、本発明の実施の形態２のジャー炊飯器の回路図を示すものである。
【００３０】
図４に示すように、第２の選択手段（選択手段）１５は、第１のヒータ駆動手段７と第２のヒータ駆動手段８とを同時に駆動しなければならない期間において、第１のヒータ駆動手段７と第２のヒータ駆動手段８とを所定の駆動比率（例えば、２：１の割合）で繰り返し駆動するようにしている。他の構成は上記実施の形態１と同じであり、同一符号を付して説明を省略する。
【００３１】
上記構成において動作を説明する。なお、予め制御手段１１に記憶されたシーケンスにより行う炊飯や保温の基本的な動作、例えば、図２による保温工程の動作は上記実施の形態１の動作と同じであるので説明を省略する。
【００３２】
上記実施の形態１で説明したように、図２による保温工程では胴ヒータ３と蓋ヒータ５は４秒間同時に駆動する場合が有り得る。このときのヒータ駆動処理について、図５を参照しながら説明する。
【００３３】
ヒータ駆動処理では、まず、ステップ５０１とステップ５０２で胴ヒータ３と蓋ヒータ５の駆動デューティの開始タイミングに同期してカウントする１６秒カウンタのインクリメント処理を行う。すなわち、ステップ５０１で１６秒経過しているかどうか判断し、１６秒経過していればステップ５０２にて１６秒カウンタのインクリメントを行い、ステップ５０３へ進み、１６秒経過していなければ１６秒カウンタのインクリメントは行わずステップ５０３へ進む。
【００３４】
つぎに、ステップ５０３で胴ヒータ３と蓋ヒータ５が同時駆動されるかどうかを確認する。すなわち、胴ヒータ３と蓋ヒータ５が同時駆動されないのであればステップ５０７へ進むが、胴ヒータ３と蓋ヒータ５が同時駆動される場合にはステップ５０４へ進む。ステップ５０４で１６秒カウンタが３の倍数でなければステップ５０６へ進み、蓋ヒータ５をオフすることにし、１６秒カウンタが３の倍数であればステップ５０５へ進み、胴ヒータ３をオフすることにしてステップ５０７へ進む。ステップ５０７では第１のヒータ駆動手段７と第２のヒータ駆動手段８のいずれか一方に駆動信号を出力し、胴ヒータ３もしくは蓋ヒータ５を通電制御する。
【００３５】
このように、第２の選択手段１５は、第１のヒータ駆動手段７と第２のヒータ駆動手段８とを同時に駆動しなければならない期間において、第１のヒータ駆動手段７と第２のヒータ駆動手段８とを４８秒中３２秒間を第１のヒータ駆動手段７の駆動可能時間とし、残る１６秒間を第２のヒータ駆動手段８の駆動可能時間、すなわち２：１の割合で駆動することにより、第１のヒータ駆動手段７と第２のヒータ駆動手段８とが同時に通電されることがなくなる。
【００３６】
以上のように、本実施の形態においては、第２の選択手段１５は、第１のヒータ駆動手段７と第２のヒータ駆動手段８とを同時に駆動しなければならない期間において、第１のヒータ駆動手段７と第２のヒータ駆動手段８とを所定の時間比率（２：１の割合）で交互に駆動するようにしたので、複数のヒータ駆動手段を有していても、各ヒータ駆動手段が発生するスイッチングノイズが重畳して端子に現れることがなくなり、端子雑音電圧を低く抑えることができ、さらに、ヒータ駆動に重み付けが可能となり、炊飯物をより良好に炊飯または保温することができる。
【００３７】
なお、本実施の形態では、第２の選択手段１５は第１のヒータ駆動手段７と第２のヒータ駆動手段８とを同時に駆動しなければならない期間において、第１のヒータ駆動手段７と第２のヒータ駆動手段８とを２：１の割合で駆動とするものとしたが、２：１の割合でなくともよい。また、第１のヒータ駆動手段７は胴ヒータ３のみを通電制御する構成としたが、第１のヒータ駆動手段７は底ヒータ２と胴ヒータ３を通電制御する構成としてもよい。
【００３８】
（実施の形態３）
図６は、本発明の実施の形態３のジャー炊飯器の回路図を示すものである。
【００３９】
図６に示すように、第３の選択手段（選択手段）１６は、第１のヒータ駆動手段７と第２のヒータ駆動手段８とを同時に駆動しなければならない期間において、第１のヒータ駆動手段７と第２のヒータ駆動手段８とを駆動する駆動比率を変動可能として駆動するようにしている。他の構成は上記実施の形態１または２と同じであり、同一符号を付して説明を省略する。
【００４０】
上記構成において動作を説明する。なお、予め制御手段１１に記憶されたシーケンスにより行う炊飯や保温の基本的な動作、例えば、図２による保温工程の動作は上記実施の形態１の動作と同じであるので説明を省略する。
【００４１】
上記実施の形態１で説明したように、図２による保温工程では胴ヒータ３と蓋ヒータ５は４秒間同時に駆動する場合が有り得る。このときのヒータ駆動処理について、図７を参照しながら説明する。
【００４２】
ヒータ駆動処理では、まず、ステップ７０１とステップ７０２で胴ヒータ３と蓋ヒータ５の駆動デューティの開始タイミングに同期してカウントする１６秒カウンタのインクリメント処理を行う。すなわち、ステップ７０１で１６秒経過しているかどうか判断し、１６秒経過していればステップ７０２にて１６秒カウンタのインクリメントを行い、ステップ７０３へ進み、１６秒経過していなければ１６秒カウンタのインクリメントは行わず、ステップ７０３へ進む。
【００４３】
つぎに、ステップ７０３で胴ヒータ３と蓋ヒータ５が同時駆動されるかどうかを確認する。すなわち、胴ヒータ３と蓋ヒータ５が同時駆動されないのであれば、ステップ７１０へ進み、胴ヒータ３と蓋ヒータ５が同時駆動される場合にはステップ７０４へ進む。ステップ７０４では炊飯中であるかどうかを確認する。炊飯中であればステップ７０５へ進み、炊飯中でなければステップ７０７へ進む。ステップ７０５では１６秒カウンタが偶数かどうかを確認し、１６秒カウンタが偶数であればステップ７０６へ進み蓋ヒータ５をオフすることにしてステップ７１０へ進み、１６秒カウンタが奇数であればステップ７０９へ進み胴ヒータ３をオフすることにしてステップ７１０へ進む。
【００４４】
ステップ７０７では保温中かどうかを確認する。保温中であればステップ７０８へ進み、保温中でなければステップ７１０に進む。ステップ７０８では１６秒カウンタが３の倍数かどうかを確認する。ここで、１６秒カウンタが３の倍数でなければステップ７０６へ進み蓋ヒータ５をオフすることにし、１６秒カウンタが３の倍数であればステップ７０９へ進み胴ヒータ３をオフすることにしてステップ７１０へ進む。ステップ７１０では第１のヒータ駆動手段７と第２のヒータ駆動手段８のいずれか一方に駆動信号を出力し、胴ヒータ３もしくは蓋ヒータ５を通電制御する。
【００４５】
以上のように、本実施の形態においては、第３の選択手段１６は、第１のヒータ駆動手段７と第２のヒータ駆動手段８とを同時に駆動しなければならない期間において、炊飯中であれば３２秒中１６秒間を第１のヒータ駆動手段７の駆動可能時間とし、残る１６秒間を第２のヒータ駆動手段８の駆動可能時間、すなわち１：１の割合で第１のヒータ駆動手段７と第２のヒータ駆動手段８を駆動し、保温中であれば４８秒中３２秒間を第１のヒータ駆動手段７の駆動可能時間とし、残る１６秒間を第１のヒータ駆動手段８の駆動可能時間、すなわち２：１の割合で第１のヒータ駆動手段７と第２のヒータ駆動手段８を駆動することにより、第１のヒータ駆動手段７と第２のヒータ駆動手段８とが同時に通電されることがなくなり、かつ各ヒータを状況に応じて駆動することができるため、炊飯や保温性能を損なうことなく端子雑音電圧を低く抑えることができる。
【００４６】
なお、本実施の形態では、第３の選択手段１６は第１のヒータ駆動手段７と第２のヒータ駆動手段８とを同時に駆動しなければならない期間において。第１のヒータ駆動手段７と第２のヒータ駆動手段８の駆動比率を炊飯中では１：１とし、保温中では２：１としたが、特にこのとおりでなくともよく、工程ごとにその駆動比率を変動可能とすればよい。また、第１のヒータ駆動手段７は胴ヒータ３のみを通電制御する構成としたが、特にこの通りでなくともよく、第１のヒータ駆動手段７は底ヒータ２と胴ヒータ３を通電制御する構成としてもよい。
【産業上の利用可能性】
【００４７】
以上のように、本発明にかかるジャー炊飯器は、複数のヒータ駆動手段を有していても、各ヒータ駆動手段が発生するスイッチングノイズが重畳して端子に現れることがなくなり、端子雑音電圧を低く抑えることができるので、複数のヒータを有し予め定められた動作シーケンスで各ヒータを通電制御するジャー炊飯器として有用である。
【図面の簡単な説明】
【００４８】
【図１】本発明の実施の形態１におけるジャー炊飯器の回路図
【図２】同ジャー炊飯器の保温動作の要部フローチャート
【図３】同ジャー炊飯器のヒータ駆動処理の要部フローチャート
【図４】本発明の実施の形態２におけるジャー炊飯器の回路図
【図５】同ジャー炊飯器のヒータ駆動処理の要部フローチャート
【図６】本発明の実施の形態３におけるジャー炊飯器の回路図
【図７】同ジャー炊飯器のヒータ駆動処理の要部フローチャート
【図８】従来のジャー炊飯器の回路図
【符号の説明】
【００４９】
１  鍋
３  胴ヒータ
４  蓋
５  蓋ヒータ
７  第１のヒータ駆動手段
８  第２のヒータ駆動手段
９  鍋温度検知手段
１０  蓋温度検知手段
１１  制御手段
１４  第１の選択手段（選択手段）
【図１】
2007325622.tif 000003
【図２】
2007325622.tif 000004
【図３】
2007325622.tif 000005
【図４】
2007325622.tif 000006
【図５】
2007325622.tif 000007
【図６】
2007325622.tif 000008
【図７】
2007325622.tif 000009
【図８】
2007325622.tif 000010